(57)【要約】【課題】火災感知器及び人体感知センサ等のセキュリティ機器や警報を発報する機器を後付けする際における配線工事の簡略化を図る。【解決手段】居室親機２の増設スピーカ端子Ｔ１に接続され、玄関子機１からの呼び出し時又は居室親機に接続されている戸締りセンサ４ｄによる異常検出時に増設スピーカ端子から出力される呼出・警報信号を検出する呼出・警報信号検出回路５７、呼出・警報信号を検出した時に通報電波を送出する電波送信回路５２を有する親機用発信機５ｄと、親機用発信機からの通報電波を受信する電波受信回路６１を有し、通報電波を受信したときに警報を発報する無線式受信警報機６ａ、６ｂ、６ｃとを備え、さらに、居室親機に接続されていない火災感知器４ａ等が異常検出時に出力するメーク異常信号を検出する接点検出回路５１と、接点検出回路がメーク異常信号を検出したときにセキュリティ機器異常電波を送出する電波送信回路５２とを有するセキュリティ機器用発信機５ａ、５ｂ、５ｃを備えている。【選択図】図１
2006279414.tif 000002
【特許請求の範囲】
【請求項１】
玄関に設置される玄関子機（１）と、前記玄関子機からの呼び出しに応じて通話を行なうために当該玄関子機に接続されると共に居室に設置され、増設スピーカが接続可能な増設スピーカ端子（Ｔ１）を有する親機（２）と、生活上の異常を検出するために住宅に設置されるセキュリティ機器（４ａ、４ｂ、４ｃ、４ｄ）とを備え、
前記増設スピーカ端子に接続され、前記玄関子機からの呼び出し時又は前記親機に接続されている何れかの前記セキュリティ機器（４ｄ）による異常検出時に前記増設スピーカ端子から出力される呼出・警報信号を検出する呼出・警報信号検出回路（５７）、前記呼出・警報信号を検出した時に通報電波を送出する電波送信回路（５２）を有する親機用発信機（５ｄ）と、
前記親機用発信機からの前記通報電波を受信する電波受信回路（６１）を有し、前記通報電波を受信したときに警報を発報する無線式受信警報機（６ａ、６ｂ、６ｃ）とを備えることを特徴とするインターホンシステム。
【請求項２】
前記親機に接続されていない何れかの前記セキュリティ機器（４ａ、４ｂ、４ｃ）が異常検出時に出力するメーク又はブレーク異常信号を検出する接点検出回路（５１）と、前記接点検出回路が前記メーク又はブレーク異常信号を検出したときにセキュリティ機器異常電波を送出する電波送信回路（５２）とを有するセキュリティ機器用発信機（５ａ、５ｂ、５ｃ）を備えることにより、前記セキュリティ機器異常電波を受信したとき前記無線式受信警報機から警報を発報することを特徴とする請求項１記載のインターホンシステム。
【請求項３】
前記無線式受信警報機は、前記警報発報として警告音を出力する内蔵スピーカ（６３）と、前記警報発報として警報表示を点灯する警告灯（６５）とを備えたことを特徴とする請求項１又は請求項２記載のインターホンシステム。
【請求項４】
前記無線式受信警報機は、前記親機用発信機からの前記警報発報時及び前記セキュリティ機器用発信機からの前記警報発報時に、前記内蔵スピーカから出力される前記警告音の音声パターン及び前記警告灯で点灯される前記警報表示の表示パターンの双方又は一方が異なるように制御するＣＰＵ（６８）を備えたことを特徴とする請求項３記載のインターホンシステム。
【請求項５】
前記親機用発信機及び前記セキュリティ機器用発信機の少なくとも一方は、内蔵電池の電圧を検出する電圧検出回路（５４）を備え、前記内蔵電池の電圧が所定電圧以下になったことを検出したときに、電池残量不足通報電波を送出すると共に内蔵スピーカ（５６）から電池残量不足警告音を発し、前記無線式受信警報機が前記電池残量不足電波を受信したときに電池残量不足であることを示す警報を発報することを特徴とする請求項１乃至請求項４何れか１項記載のインターホンシステム。
【請求項６】
前記親機用発信機は前記接点検出回路を備え、前記増設スピーカ端子に代えて、呼出・警報発報時にメーク又はブレーク信号を出力可能な端子（Ｔ２）を有する親機に接続されることを特徴とする請求項２乃至請求項５何れか１項記載のインターホンシステム。
【請求項７】
前記無線式受信警報機（６ａ）は、前記内蔵スピーカから出力される前記警告音及び前記警告灯で点灯される前記警報表示を停止するための警報停止ボタン（６６）と、前記警報停止ボタンを押したときに警報停止電波を送信する警報機送信回路（６７）とを備えることにより、前記電波受信回路で前記警報停止電波を受信したときは前記警告音及び前記警報表示を停止させると共に、前記無線式受信警報機（６ａ）の前記警報停止ボタンを押したとき警報停止ボタン操作をしていない他の無線式受信警報機（６ｂ、６ｃ）の前記内蔵スピーカから出力される前記警告音及び前記警告灯で点灯される前記警報表示を停止することを特徴とする請求項３乃至請求項６何れか１項記載のインターホンシステム。
【請求項８】
前記無線式受信警報機（６ａ）は、前記通報電波又は前記セキュリティ機器異常電波を受信したときに、前記警報機送信回路から前記通報電波又は前記セキュリティ機器異常電波の情報を含む転送電波を送信し、前記転送電波を受信した他の無線式受信警報機（６ｂ）は前記無線式受信警報機（６ａ）と同じ警報発報をさせることにより、前記親機用発信機からの距離が遠く電波が届かない前記他の無線式受信警報機（６ｃ）において、前記親機用発信機に近い前記無線式受信警報機を経由して発報することを特徴とする請求項７記載のインターホンシステム。
【発明の詳細な説明】
【技術分野】
【０００１】
本発明は玄関子機と居室親機で呼び出し、通話を行なうインターホンシステムに係り、特に、呼び出し情報やセンサで検知した警報情報を無線で伝送するインターホンシステムに関する。
【背景技術】
【０００２】
従来から、述べ面積が３００ｍ2以上や収容人員が３００人以上のマンション等の集合住宅においては、消防法により火災感知器が義務付けられている。また、集合住宅では、火災感知器の他にもガス検知器などの防災用セキュリティ機器も備え、インターホンシステムと連動するように設置されていることが多い。一方、消防法で義務付けられてはいないが戸建住宅においても火災感知器など防災や防犯に対処できるセキュリティ機器の設置要望が多くなってきている。
【０００３】
この戸建住宅における防災・防犯用インターホンシステムは例えば図２に示すように、玄関に設置される玄関子機５１と、居室に設置される室内親機５２と、居室の天井、窓等に設置される火災感知器５３、ガス検知器５４、人体検知センサ５５及び戸締りセンサ５６等のセキュリティ機器とから構成され、室内親機５２に玄関子機５１、火災感知器・ガス検知器５３、人体検知センサ５４及び戸締りセンサ５５が有線接続されている。
【０００４】
例えば、火災感知器５３が火災を感知すると、火災感知器５３から感知信号が室内親機５２に伝送されるので、室内親機５２で火災が発生したことを発報することができる。なお、この警報発報を室内親機５２が設置されている室内以外の住宅内で確認できるようにするために、室内親機５２に増設スピーカ５７を有線接続するための増設スピーカ端子Ｔ５０が設けられている機種もある。
【０００５】
このようなインターホンシステムとして、複数の音声信号及び呼出音信号を重畳して出力する際に優先度を持たせた上で出力することが可能なセキュリティインターホン装置が開示されている（例えば、特許文献１参照）。また、各種警報が発報された時にスピーカから音声警報が鳴動すると共に、発報してからの時間とその警報内容を絵と文章で表示するセキュリティ装置が開示されている（例えば、特許文献２参照）。
【０００６】
【特許文献１】特開平１１−５５４１２号公報
【特許文献２】特開平１１−２７２９７３号公報
【発明の開示】
【発明が解決しようとする課題】
【０００７】
しかしながら、背景技術において述べた装置では、室内親機が設置されている室内以外の住宅内で、警報発報を確認するための機器を後付けするには新たに配線工事をしなければならないという難点があった。また、この装置はセキュリティ機器が室内親機やセキュリティ装置に有線接続されているので、戸建住宅においてセキュリティ機器を後付けするには新たに配線工事をしなければならないという難点があった。この新たな配線工事により工事コストが上がることになるので、戸建住宅に対する防災・防犯機能の強化を妨げることにもなる。
【０００８】
本発明は、このような従来の難点を解決するためになされたもので、火災感知器及び人体感知センサ等のセキュリティ機器や警報を発報する機器を後付けする際における配線工事の簡略化を図ることができるインターホンシステムを提供することを目的とする。
【課題を解決するための手段】
【０００９】
本発明のインターホンシステムは、玄関に設置される玄関子機と、玄関子機からの呼び出しに応じて通話を行なうために当該玄関子機に接続されると共に居室に設置され、増設スピーカが接続可能な増設スピーカ端子を有する親機と、生活上の異常を検出するために住宅に設置されるセキュリティ機器とを備えている。
【００１０】
本発明の第１の態様であるインターホンシステムは、増設スピーカ端子に接続され、玄関子機からの呼び出し時又は親機に接続されている何れかのセキュリティ機器による異常検出時に増設スピーカ端子から出力される呼出・警報信号を検出する呼出・警報信号検出回路、呼出・警報信号を検出した時に通報電波を送出する電波送信回路を有する親機用発信機と、親機用発信機からの通報電波を受信する電波受信回路を有し、通報電波を受信したときに警報を発報する無線式受信警報機とを備えるものである。
【００１１】
このような第１の態様によるインターホンシステムによれば、親機の増設スピーカ端子に接続できる親機用発信機から送出された呼出・警報の通報電波を、例えば親機が設置されている居室以外の住宅内に設置された無線式受信警報機で受信することができるので、警報機を親機に有線接続することなく親機からの呼出・警報情報を警報機で発報することができるようになる。
【００１２】
本発明の第２の態様は第１の態様であるインターホンシステムにおいて、親機に接続されていない何れかのセキュリティ機器が異常検出時に出力するメーク又はブレーク異常信号を検出する接点検出回路と、接点検出回路がメーク又はブレーク異常信号を検出したときにセキュリティ機器異常電波を送出する電波送信回路とを有するセキュリティ機器用発信機を備えることにより、セキュリティ機器異常電波を受信したとき前記無線式受信警報機から警報を発報するものである。これにより、セキュリティ機器と警報機とを有線接続することなくセキュリティ機器からの警報情報を警報機で発報することができるようになる。
【００１３】
本発明の第３の態様は第１の態様又は第２の態様であるインターホンシステムにおいて、無線式受信警報機は、警報発報として警告音を出力する内蔵スピーカと、警報発報として警報表示を点灯する警告灯とを備えたものである。これにより、居住者は聴覚と視覚とで警報発報されていることを確認できる。
【００１４】
本発明の第４の態様は第３の態様であるインターホンシステムにおいて、無線式受信警報機は、親機用発信機からの警報発報時及びセキュリティ機器用発信機からの警報発報時に、内蔵スピーカから出力される警告音の音声パターン及び警告灯で点灯される警報表示の表示パターンの双方又は一方が異なるように制御するＣＰＵを備えたものである。これにより、警報発報が親機、セキュリティ機器の何れからの発報かを識別できるようになる。
【００１５】
本発明の第５の態様は第１乃至第４の各態様の何れか１つの態様であるインターホンシステムにおいて、親機用発信機及びセキュリティ機器用発信機の少なくとも一方は、内蔵電池の電圧を検出する電圧検出回路を備え、内蔵電池の電圧が所定電圧以下になったことを検出したときに、電池残量不足通報電波を送出すると共に内蔵スピーカから電池残量不足警告音を発し、無線式受信警報機が電池残量不足電波を受信したときに電池残量不足であることを示す警報を発報するものである。これにより、電源を電池にすることができるので電源の配線工事を行なわずに済むと共に、発信機の電池切れを防止することができる。
【００１６】
本発明の第６の態様は第２乃至第５の各態様の何れか１つの態様であるインターホンシステムにおいて、親機用発信機はセキュリティ機器用発信機が有する接点検出回路を備え、増設スピーカ端子に代えて、呼出・警報発報時にメーク又はブレーク信号を出力可能な端子を有する親機に接続されるものである。これにより、増設スピーカ端子を有さずに呼出・警報発報時にメーク又はブレーク信号を出力可能な端子を有する親機にも対応させることができる。
【００１７】
本発明の第７の態様は第３乃至第６の各態様の何れか１つの態様であるインターホンシステムにおいて、無線式受信警報機は、内蔵スピーカから出力される警告音及び警告灯で点灯される警報表示を停止するための警報停止ボタンと、警報停止ボタンを押したときに警報停止電波を送信する警報機送信回路とを備えることにより、電波受信回路で警報停止電波を受信したときは警告音及び警報表示を停止させると共に、無線式受信警報機の警報停止ボタンを押したとき警報停止ボタン操作をしていない他の無線式受信警報機の内蔵スピーカから出力される警告音及び警告灯で点灯される前記警報表示を停止するものである。これにより、無線式受信警報機が複数設置されいる場合にも、無線式受信警報機の警告音や警報表示を警報停止ボタンで停止させるだけで、警報停止ボタン操作をしていない他の無線式受信警報機で出力、点灯されている警告音、警報表示を停止させることができる。
【００１８】
本発明の第８の態様は第７の態様であるインターホンシステムにおいて、無線式受信警報機は、通報電波又はセキュリティ機器異常電波を受信したときに、警報機送信回路から通報電波又はセキュリティ機器異常電波の情報を含む転送電波を送信し、転送電波を受信した他の無線式受信警報機は無線式受信警報機と同じ警報発報をさせることにより、親機用発信機からの距離が遠く電波が届かない他の無線式受信警報機において、親機用発信機に近い無線式受信警報機を経由して発報するものである。これにより、無線式受信警報機が複数設置されいる場合、１つの無線式受信警報機から送信される転送電波を、その無線式受信警報機から距離が遠く電波が届かない他の無線式受信警報機に対しても転送電波を受信した他の無線式受信警報機を経由して送信することができるので、無線通信距離に拘らずに無線式受信警報機を設置できるようになる。
【発明の効果】
【００１９】
本発明のインターホンシステムによれば、親機が設置されている室内以外の住宅内に設けられた警報機と親機との通信を無線で行なえるようにしたので、配線工事の簡略化を図ることができた。また、親機とセキュリティ機器との通信を無線で行なえるようにしたので、セキュリティ機器を後付けする際における配線工事の簡略化を図ることができた。したがって、セキュリティ機器を安価に設置することができるようになった。
【発明を実施するための最良の形態】
【００２０】
以下、本発明のインターホンシステムにおける好ましい実施の形態例について、図面を参照して説明する。参照する図１は、本発明のインターホンシステムを示す図で、（ａ）は全体構成図、（ｂ）は居室親機に接続される親機用発信機のブロック図、（ｃ）は無線式受信警報機のブロック図、（ｄ）はセンサ用発信機のブロック図である。
【００２１】
本発明の好ましい実施の形態例であるインターホンシステムは図１に示すように、戸建住宅の玄関に設置される玄関子機１と、玄関子機１に有線接続されると共に居室に設置される居室用親機（室内親機）２と、生活上の異常を検出するために住宅に設置されるセキュリティ機器である火災感知器４ａ、ガス検知器４ｂ、人体検知センサ４ｃ、戸締りセンサ４ｄとを備えている。
【００２２】
玄関子機１は、来訪者があることを居室用親機２で居住者に知らせる呼出ボタン１１と、居室用親機２と通話を行うための子機スピーカ１２及び子機マイク１３とを備えている。また、来訪者を撮像するカメラ１４を備えている玄関子機もある。
【００２３】
居室用親機２は、玄関子機１と通話を行うための親機スピーカ２１及び親機マイク２２と、来訪者と通話及び終話を行うための通話ボタン２３と、増設スピーカが接続可能な増設スピーカ端子Ｔ１とを備えている。また、玄関子機１がカメラ１４を備えている場合には、当該カメラ１４で撮像された来訪者の映像を出画するためのモニタ２４を備えている。さらに、居室用親機２には、居室の窓に設置されている戸締りセンサ４ｄが有線接続されている。なお、増設スピーカ端子Ｔ１には、玄関子機１の呼出ボタン１１が押下された時は呼出信号が、また、戸締りセンサ４ｄで戸が開放されたことを検出する異常検出時には警報信号がそれぞれ出力されるようになっている。
【００２４】
このようなインターホンシステムの居室用親機２が有する増設スピーカ端子Ｔ１には図１（ｂ）に示すように、玄関子機１からの呼び出し時又は居室用親機２に接続されている戸締りセンサ４ｄによる異常検出時に増設スピーカ端子Ｔ１から出力される呼出・警報信号を検出する呼出・警報信号検出回路５７と、呼出・警報信号検出回路５７で呼出・警報信号を検出した時に通報電波を送出する電波送信回路５２とを有する親機用発信機５ｄが接続されている。この親機用発信機５ｄは、呼出・警報信号検出回路５７の入力端子が居室用親機２の増設スピーカ端子Ｔ１に有線接続させる親機接続端子Ｔ３に接続され出力端子が電波送信回路５２の入力端子に接続され、電波送信回路５２の出力端子は送信アンテナ５８に接続されている。
【００２５】
また、このインターホンシステムは、親機用発信機５ｄからの通報電波を受信する電波受信回路６１を有し、通報電波を受信したときに警報を発報する無線式受信警報機６ａ、６ｂ、６ｃを備えている。無線式受信警報機６ａは例えば居室用親機２が設置された居室に一番近い脱衣室に設置され、無線式受信警報機６ｂは例えば寝室に設置され、無線式受信警報機６ｃは例えば子供部屋に設置されている。
【００２６】
このような親機用発信機５ｄと無線式受信警報機６ａ、６ｂ、６ｃとをインターホンシステムに備えることにより、居室用親機２の増設スピーカ端子Ｔ１に接続できる親機用発信機５ｄから送出された呼出・警報の通報電波を、例えば居室用親機２が設置されている居室以外の住宅内に設置された無線式受信警報機６ａ、６ｂ、６ｃで受信することができるので、無線式受信警報機６ａ、６ｂ、６ｃを居室用親機２に有線接続することなく当該居室用親機２からの呼出・警報情報を無線式受信警報機６ａ、６ｂ、６ｃで発報することができるようになる。
【００２７】
また、無線式受信警報機６ａ、６ｂ、６ｃは図１（ｃ）に示すように、警報発報として警告音を出力する内蔵スピーカ６３と、警報発報として警報表示を点灯する警告灯６５とを備えている。これにより、居住者は聴覚と視覚とで警報発報されていることを確認できる。なお、ここでいう点灯とは常時点灯だけではなく点滅も含むものである。
【００２８】
また、無線式受信警報機６ａ、６ｂ、６ｃは図１（ｃ）に示すように、親機用発信機５ｄからの警報発報時及び火災感知器４ａ、ガス検知器４ｂ、人体検知センサ４ｃからの警報発報時に、内蔵スピーカ６３から出力される警告音の音声パターン及び警告灯６５で点灯される警報表示の表示パターンの双方又は一方が異なるように制御するＣＰＵ６８を備えている。これにより、警報発報が居室用親機２、火災感知器４ａ、ガス検知器４ｂ、人体検知センサ４ｃのうち何れからの発報かを識別できるようになる。
【００２９】
また、無線式受信警報機６ａ、６ｂ、６ｃは図１（ｃ）に示すように、内蔵スピーカ６３から出力される警告音及び警告灯６５で点灯される警報表示を停止するための警報停止ボタン６６と、警報停止ボタン６６を押したときに警報停止電波を送信する警報機送信回路６７とを備えている。この警報停止ボタン６６及び警報機送信回路６７を無線式受信警報機６ａ、６ｂ、６ｃに備えることで、電波受信回路６１で警報停止電波を受信したときは警告音及び警報表示を停止させると共に、例えば無線式受信警報機６ａの警報停止ボタン６６を押したとき警報停止ボタン操作をしていない他の無線式受信警報機６ｂ、６ｃの内蔵スピーカ６３から出力される警告音及び警告灯６５で点灯される警報表示を停止することができる。これにより、無線式受信警報機が複数設置されている場合にも、無線式受信警報機の警告音や警報表示を警報停止ボタンで停止させるだけで、警報停止ボタン操作をしていない他の無線式受信警報機で出力、点灯されている警告音、警報表示を停止させることができる。
【００３０】
また、無線式受信警報機６ａ、６ｂ、６ｃのＣＰＵ６８は図１（ｃ）に示すように、通報電波又はセキュリティ機器異常電波を受信したときに、警報機送信回路６７から通報電波又はセキュリティ機器異常電波の情報を含む転送電波を送信し、転送電波を受信した他の無線式受信警報機は最初に通報電波又はセキュリティ機器異常電波を受信した無線式受信警報機と同じ警報発報をさせることにより、親機用発信機５ｄからの距離が遠く電波が届かない他の無線式受信警報機において、親機用発信機５ｄに近い無線式受信警報機を経由して発報する機能を有している。これにより、無線式受信警報機が複数設置されいる場合、１つの無線式受信警報機から送信される転送電波を、その無線式受信警報機から距離が遠く電波が届かない他の無線式受信警報機に対しても転送電波を受信した他の無線式受信警報機を経由して送信することができるので、無線通信距離に拘らずに無線式受信警報機を設置できるようになる。したがって、親機用発信機５ｄからの転送電波が子供部屋に設置された無線式受信警報機６ｃに届かない場合においても、その転送電波を居室用親機２が設置された居室に一番近い脱衣室に設置された無線式受信警報機６ａから、脱衣室に近い寝室に設置された無線式受信警報機６ｂを介して子供部屋に設置された無線式受信警報機６ｃに送信することができるようになる。
【００３１】
このような無線式受信警報機６ａ、６ｂ、６ｃは、電波受信回路６１の入力端子が受信アンテナ６９に接続され出力端子がＣＰＵ６８に接続されている。また、内蔵スピーカ６３は警告音発生回路６２を介してＣＰＵ６８に接続され、警告灯６５は警告灯駆動回路６４を介してＣＰＵ６８に接続されている。さらに、警報停止ボタン６６はＣＰＵ６８に接続され、ＣＰＵ６８には送信アンテナ７０が警報機送信回路６７を介して接続されている。
【００３２】
また、火災感知器４ａ、ガス検知器４ｂ、人体検知センサ４ｃは図１（ｄ）に示すように、それぞれ異常検出時に出力するメーク又はブレーク異常信号を検出する接点検出回路５１と、接点検出回路５１がメーク又はブレーク異常信号を検出したときにセキュリティ機器異常電波を送出する電波送信回路５２とを有するセキュリティ機器用発信機５ａ、５ｂ、５ｃに接続されている。これにより、火災感知器４ａ、ガス検知器４ｂ、人体検知センサ４ｃと無線受信警報機６ａ、６ｂ、６ｃとを有線接続することなく火災感知器４ａ、ガス検知器４ｂ、人体検知センサ４ｃからの警報情報を無線受信警報機６ａ、６ｂ、６ｃで発報することができるようになる。
【００３３】
また、親機用発信機５ｄ及びセキュリティ機器用発信機５ａ、５ｂ、５ｃは、電池５３と、この内蔵電池５３の電圧を検出して所定電圧以下になったことを検出したときに電池残量不足通報電波を送出させる電圧検出回路５４と、電圧検出回路５４で内蔵電池５３の電圧が所定電圧以下になったことを検出したときに、内蔵スピーカ５６から電池残量不足警告音を出力させる電池残量不足警告音発生回路５５とを備えている。これにより、電源を電池にすることができるので電源の配線工事を行なわずに済むと共に、発信機の電池切れを防止することができる。なお、親機用発信機５ｄ及びセキュリティ機器用発信機５ａ、５ｂ、５ｃは、設置箇所によっては配線工事を簡易なものとすることができる場合があるので、その場合は電池５３及び電圧検出回路５４を備えなくともよい。
【００３４】
このような親機用発信機５ｄ及びセキュリティ機器用発信機５ａ、５ｂ、５ｃの電池５３は電圧検出回路５４を介して電波送信回路５２に接続され、電池残量不足警告音発生回路５５の入力端子は電圧検出回路５４の出力端子に接続され出力端子は内蔵スピーカ５６と電波送信回路５２の入力端子に接続されている。また、接点検出回路５１の入力端子は各セキュリティ機器４ａ、４ｂ、４ｃを接続するためのセキュリティ機器接続端子Ｔ４に接続され出力端子は電波送信回路５２の入力端子に接続されている。電波送信回路５２の出力端子は送信アンテナ５８に接続されている。
【００３５】
このように構成されたインターホンシステムにおいて、以下動作を説明する。
【００３６】
来訪者が玄関に設置された玄関子機１の呼出ボタン１１で住宅内の居住者を呼び出すための呼び出し操作をすると、当該玄関子機１は居室親機２に対して呼出信号を送出する。また、カメラ１４を備えている場合には、映像信号も居室親機２に送出する。呼出信号を受信した居室親機２は、玄関子機１から呼び出しがあったことを知らせるために親機スピーカ２１から呼出音を出力すると共に、増設スピーカ端子Ｔ１に呼出信号を送出する。この増設スピーカ端子Ｔ１に有線接続されている親機用発信機５ｄは、呼出信号を親機接続端子Ｔ３を介して呼出・警報信号検出回路５７で検出し、電波送信回路５２に呼出信号を検出した旨の検出信号を送出する。電波送信回路５２は検出信号に基づく通報電波を送信アンテナ５８から送信する。
【００３７】
その通報電波を受信アンテナ６９で受信した無線式受信警報機６ａ、６ｂ、６ｃは、それぞれ通報電波を電波受信回路６１で検出しＣＰＵ６８に送出する。ＣＰＵ６８は通報電波に基づき警告音発生回路６２を介して内蔵スピーカ６３から呼出音を出力し、警告灯駆動回路６４を介して呼出表示を警告灯６５に点灯する。なお、親機用発信機５ｄからの転送電波が子供部屋に設置された無線式受信警報機６ｃに届かない場合には、無線式受信警報機６ａ、６ｂ、６ｃは、居室用親機２が設置された居室に一番近い脱衣室に設置された無線式受信警報機６ａから送信される転送電波を、脱衣室に近い寝室に設置された無線式受信警報機６ｂを経由して無線式受信警報機６ｃに送信するように機能する。具体的には、親機用発信機５ｄから送信された通報電波を無線式受信警報機６ａの受信アンテナ６９で受信し、電波受信回路６１を介してＣＰＵ６８に送出する。ＣＰＵ６８は通報電波の情報を含む転送電波を警報機送信回路６７を介して送信アンテナ７０から送信する。その転送電波を無線式受信警報機６ｂの受信アンテナ６９で受信し、電波受信回路６１を介してＣＰＵ６８に送出する。ＣＰＵ６８は無線式受信警報機６ａから転送された転送電波を警報機送信回路６７を介して送信アンテナ７０から送信する。その転送電波を無線式受信警報機６ｃの受信アンテナ６９で受信し、電波受信回路６１を介してＣＰＵ６８に送出する。したがって、無線式受信警報機６ａ、６ｂ、６ｃの各ＣＰＵ６８は通報電波に基づき警告音発生回路６２を介して内蔵スピーカ６３から呼出音を出力させ、警告灯駆動回路６４を介して呼出表示を警告灯６５に点灯させることができる。
【００３８】
また、戸締りセンサ４ｄにより戸が開放されたことを検出すると、居室親機２は戸締りセンサ４ｄによる異常検出があったことを知らせるために子機スピーカ１２から警報音を出力すると共に、増設スピーカ端子Ｔ１に警報信号を送出する。この増設スピーカ端子Ｔ１に有線接続されている親機用発信機５ｄは、警報信号を親機接続端子Ｔ３を介して呼出・警報信号検出回路５７で検出し、電波送信回路５２に警報信号を検出した旨の検出信号を送出する。電波送信回路５２は検出信号に基づき通報電波を送信アンテナ５８から送信する。
【００３９】
その通報電波を受信アンテナ６９で受信した無線式受信警報機６ａ、６ｂ、６ｃは、それぞれ通報電波を電波受信回路６１で検出しＣＰＵ６８に送出する。ＣＰＵ６８は通報電波に基づき警告音発生回路６２を介して内蔵スピーカ６３から警告音を出力し、警告灯駆動回路６４を介して警告表示を警告灯６５に点灯する。なお、親機用発信機５ｄからの転送電波が子供部屋に設置された無線式受信警報機６ｃに届かない場合には、上述したように、無線式受信警報機６ａ、６ｂ、６ｃは、居室用親機２が設置された居室に一番近い脱衣室に設置された無線式受信警報機６ａから送信される転送電波を、脱衣室に近い寝室に設置された無線式受信警報機６ｂを経由して無線式受信警報機６ｃに送信するように機能する。
【００４０】
次に、セキュリティ機器である火災感知器４ａ、ガス検知器４ｂ、人体検知センサ４ｃでセキュリティ異常を検出した場合におけるインターホンシステムの動作について説明する。なお、何れのセキュリティ機器においても動作は同じなので、火災感知器４ａの場合についてのみ説明する。火災感知器４ａは異常検出時はメーク異常信号を送出するものとする。
【００４１】
火災感知器４ａが火災が発生したことを検知すると、火災感知器４ａは、セキュリティ機器用発信機５ａのセキュリティ機器接続端子Ｔ４を介して接点検出回路５１にメーク異常信号を出力する。接点検出回路５１はメーク異常信号を検出し、電波送信回路５２にメーク異常信号を検出した旨の検出信号を送出する。電波送信回路５２は検出信号に基づき通報電波を送信アンテナ５８から送信する。
【００４２】
その通報電波を受信アンテナ６９で受信した無線式受信警報機６ａ、６ｂ、６ｃは、それぞれ通報電波を電波受信回路６１で検出しＣＰＵ６８に送出する。ＣＰＵ６８は通報電波に基づき警告音発生回路６２を介して内蔵スピーカ６３から警告音を出力し、警告灯駆動回路６４を介して警告表示を警告灯６５に点灯する。
【００４３】
この内蔵スピーカ６３から出力される警告音及び警告灯６５で点灯される警報表示を停止するには、例えば無線式受信警報機６ａの警報停止ボタン６６を押下する。警報停止ボタン６６が押下されると、警報停止信号がＣＰＵ６８に送出され、ＣＰＵ６８は内蔵スピーカ６３から出力される警告音及び警告灯６５で点灯される警報表示を警告音発生回路６２及び警告灯駆動回路６４を介して停止すると共に警報機送信回路６７を介して送信アンテナ７０から警報停止信号に基づく通報電波を送信する。
【００４４】
無線式受信警報機６ａから送信された警報停止信号に基づく通報電波を受信アンテナ６９で受信した無線式受信警報機６ｂ、６ｃは、それぞれ通報電波を電波受信回路６１で検出しＣＰＵ６８に送出する。ＣＰＵ６８は通報電波に基づき内蔵スピーカ６３から出力される警告音及び警告灯６５で点灯される警報表示を警告音発生回路６２及び警告灯駆動回路６４を介して停止する。
【００４５】
なお、セキュリティ機器用発信機５ａからの転送電波が子供部屋に設置された無線式受信警報機６ｃに届かない場合には、上述したように、無線式受信警報機６ａ、６ｂ、６ｃは、居室用親機２が設置された居室に一番近い脱衣室に設置された無線式受信警報機６ａから送信される転送電波を、脱衣室に近い寝室に設置された無線式受信警報機６ｂを経由して無線式受信警報機６ｃに送信するように機能する。
【００４６】
このような親機用発信機５ｄ及びセキュリティ機器用発信機５ａ、５ｂ、５ｃは、それぞれ内蔵電池５３の電圧が所定電圧以下になると、電圧検出回路５４がそのことを検出し、電波送信回路５２を介して送信アンテナ５８から電池残量不足通報電波を送信すると共に、電池残量不足警告音発生回路５５を介して内蔵スピーカ５６から電池残量不足警告音を出力する。電池残量不足通報電波を受信アンテナ６９で受信した無線式受信警報機６ａ、６ｂ、６ｃは、それぞれ電池残量不足通報電波を電波受信回路６１で検出しＣＰＵ６８に送出する。ＣＰＵ６８は電池残量不足通報電波に基づき警告音発生回路６２を介して内蔵スピーカ６３から電池残量不足警告音を出力し、警告灯駆動回路６４を介して電池残量不足警告表示を警告灯６５に点灯する。
【００４７】
また、このような無線式受信警報機６ａ、６ｂ、６ｃの各ＣＰＵ６８は、親機用発信機５ｄからの警報発報時及び火災感知器４ａ、ガス検知器４ｂ、人体検知センサ４ｃからの警報発報時に、内蔵スピーカ６３から出力される警告音の音声パターン及び警告灯６５で点灯される警報表示の表示パターンの双方又は一方を変えることができる。音声パターンの場合は例えば楽曲を変更させ、表示パターンの場合は例えば常時点灯と点滅にして区別させる。
【００４８】
なお、上述した本発明の実施形態においては、増設スピーカ端子Ｔ３を備えた居室親機２に親機用発信機５ｄを有線接続させていたが、これに限らず、呼出・警報発報時に呼出信号や警報信号となるメーク又はブレーク信号を出力可能な１つ又は複数の接点出力端子Ｔ２を有する居室親機２に親機用発信機５ｄを有線接続させてもよい。この場合、図１（ｂ）に示すように、親機用発信機５ｄに接点検出回路５１を備える。この接点検出回路５１の入力端子は居室用親機２の接点出力端子Ｔ２に有線接続させる親機接続端子Ｔ５に接続され出力端子は電波送信回路５２の入力端子に接続されている。したがって、居室親機２から出力されたメーク又はブレーク信号を親機用発信機５ｄの接点検出回路５１が検出すると、電波送信回路５２にメーク又はブレーク信号を検出した旨の検出信号を送出するので、電波送信回路５２は検出信号に基づく通報電波を送信アンテナ５８から送信することができる。
【００４９】
また、上述した本発明の実施形態においては、戸締りセンサ４ｄが居室親機２に有線接続されていたが、これに限らず、居室親機２に他のセキュリティ機器が予め有線接続されていても同様の作用、効果を得ることができる。
【００５０】
さらに、上述した本発明の実施形態においては、戸建住宅に本願発明を適用させていたが、これに限らず、集合住宅にも適用させることができるのは言うまでもない。
【図面の簡単な説明】
【００５１】
【図１】本発明のインターホンシステムにおける好ましい実施の形態例を示す説明図である。
【図２】従来のインターホンシステムを示す全体構成図である。
【符号の説明】
【００５２】
１……玄関子機
２……居室親機
Ｔ１……増設スピーカ端子
Ｔ２……接点出力端子
４ａ……火災感知器（セキュリティ機器）
４ｂ……ガス検知器（セキュリティ機器）
４ｃ……人体検知センサ（セキュリティ機器）
４ｄ……戸締りセンサ（セキュリティ機器）
５ａ、５ｂ、５ｃ……セキュリティ機器用発信機
５ｄ……親機用発信機
５１……接点検出回路
５２……電波送信回路
５４……電圧検出回路
５６……内蔵スピーカ
５７……呼出・警報信号検出回路
６ａ、６ｂ、６ｃ……無線式受信警報機
６１……電波受信回路
６３……内蔵スピーカ
６５……警告灯
６６……警報停止ボタン
６７……警報機送信回路
６８……ＣＰＵ
【図１】
2006279414.tif 000003
【図２】
2006279414.tif 000004